【手続補正書】
【提出日】令和1年7月11日(2019.7.11)
【手続補正１】
【補正対象書類名】特許請求の範囲
【補正対象項目名】全文
【補正方法】変更
【補正の内容】
【特許請求の範囲】
【請求項１】
第１の電力状態及び当該第１の電力状態よりも消費電力の小さい第２の電力状態に移行可能な情報処理装置であって、
音波を出力し、音波を受信し、受信した音波に対応する値を出力する音波センサと、
所定期間中に前記音波センサから出力された複数の値を含む参照データを保存する保存手段と、
前記保存手段に保存された前記参照データ及び前記第２の電力状態のときに前記所定期間中に前記音波センサから出力された複数の値を含むフレームデータに基づき、前記情報処理装置の電力状態を前記第２の電力状態から前記第１の電力状態に移行させる、制御手段と、
を備えることを特徴とする情報処理装置。
【請求項２】
前記保存手段は、前記情報処理装置の電力状態を前記第２の電力状態に移行させる条件を満たしたときに、前記参照データを保存する、ことを特徴とする請求項１に記載の情報処理装置。
【請求項３】
前記制御手段は、前記保存手段に保存された前記参照データを更新することを特徴とする請求項１又は２に記載の情報処理装置。
【請求項４】
前記制御手段は、前記保存手段に保存された前記参照データを、定期的に更新することを特徴とする請求項１又は２に記載の情報処理装置。
【請求項５】
前記制御手段は、前記保存手段に保存された前記参照データを、前記所定期間中に前記音波センサから出力された複数の値を含むフレームデータに少なくとも基づき更新することを特徴とする請求項１又は２に記載の情報処理装置。
【請求項６】
前記制御手段は、所定期間中に前記音波センサから出力された複数の値を含む複数のフレームデータを受信し、当該複数のフレームデータに基づき前記参照データを生成することを特徴とする請求項１又は２に記載の情報処理装置。
【請求項７】
前記音波センサから出力された複数の値を含む複数のフレームデータに含まれるノイズを除去するノイズ除去手段をさらに備えたことを特徴とする請求項１又は２に記載の情報処理装置。
【請求項８】
前記制御手段は、前記ノイズが除去されたに基づき前記参照データを生成することを特徴とする請求項７に記載の情報処理装置。
【請求項９】
前記制御手段は、
前記第２の電力状態のときに所定期間中に前記音波センサから出力された複数の値を含む複数のフレームデータを受信し、
前記保存手段に保存された前記参照データ及び前記複数のフレームデータに少なくとも基づき、前記情報処理装置の電力消費状態を前記第２の電力状態から前記第１の電力状態に移行させる、
ことを特徴とする請求項１又は２に記載の情報処理装置。
【請求項１０】
前記音波センサは、超音波を用いた超音波センサであることを特徴とする請求項１又は２に記載の情報処理装置。
【請求項１１】
第１の電力状態及び当該第１の電力状態よりも消費電力の小さい第２の電力状態に移行可能な情報処理装置の制御方法であって、
音波センサによって音波を出力及び受信することにより、受信した音波に対応する値を出力するステップと、
前記情報処理装置を前記第２の電力状態に移行させる場合に、所定期間中に前記音波センサから出力された複数の値を含む参照データを、制御手段によって保存手段に保存するステップと、
前記保存手段に保存された前記参照データ及び前記第２の電力状態のときに前記所定期間中に前記音波センサから出力された複数の値を含むフレームデータに少なくとも基づき、前記情報処理装置における電力消費状態を、制御手段によって前記第２の電力状態から前記第１の電力状態に移行させるステップと、
を含むことを特徴とする情報処理装置。
【請求項１２】
第１の電力状態及び当該第１の電力状態よりも消費電力の小さい第２の電力状態に移行可能な情報処理装置であって、
音波を出力し、音波を受信し、受信した音波に対応する値を出力する音波センサと、
保存手段と、
制御手段であって、
ユーザまたは管理者から所定の指示を受信した場合に、所定期間中に前記音波センサから出力された複数の値を含む参照データを前記保存手段に保存し、
前記保存手段に保存された前記参照データ及び前記第２の電力状態のときに前記所定期間中に前記音波センサから出力された複数の値を含むフレームデータに少なくとも基づき、前記情報処理装置における電力消費状態を前記第２の電力状態から前記第１の電力状態に移行させる、制御手段と、
を備えることを特徴とする情報処理装置。
【請求項１３】
前記所定の指示は、前記情報処理装置の電源をオンにする指示であることを特徴とする請求項１２に記載の情報処理装置。
【請求項１４】
前記所定の指示は、前記音波センサの機能を有効にする指示であることを特徴とする請求項１２に記載の情報処理装置。
【請求項１５】
前記制御手段は、前記保存手段に保存された前記参照データを更新することを特徴とする請求項１２に記載の情報処理装置。
【請求項１６】
前記制御手段は、前記保存手段に保存された前記参照データを、定期的に更新することを特徴とする請求項１２に記載の情報処理装置。
【請求項１７】
前記制御手段は、前記保存手段に保存された前記参照データを、前記第２の電力状態のときに前記所定期間中に前記音波センサから出力された複数の値を含むフレームデータに少なくとも基づき更新することを特徴とする請求項１２に記載の情報処理装置。
【請求項１８】
前記制御手段は、前記第２の電力状態のときに前記所定期間中に前記音波センサから出力された複数の値を含む複数のフレームデータを受信し、当該複数のフレームデータに基づき前記参照データを生成することを特徴とする請求項１２に記載の情報処理装置。
【請求項１９】
前記音波センサから出力された複数の値を含む複数のフレームデータに含まれるノイズを除去するノイズ除去手段をさらに備えたことを特徴とする請求項１２に記載の情報処理装置。
【請求項２０】
前記制御手段は、前記ノイズが除去されたに基づき前記参照データを生成することを特徴とする請求項１９に記載の情報処理装置。
【請求項２１】
前記制御手段は、
前記第２の電力状態のときに前記所定期間中に前記音波センサから出力された複数の値を含む複数のフレームデータを受信し、
前記保存手段に保存された前記参照データ及び前記複数のフレームデータに少なくとも基づき、前記情報処理装置における電力消費状態を前記第２の電力状態から前記第１の電力状態に移行させる、
ことを特徴とする請求項１２に記載の情報処理装置。
【請求項２２】
前記音波センサは、超音波を用いた超音波センサであることを特徴とする請求項１２に記載の情報処理装置。
【請求項２３】
第１の電力状態及び当該第１の電力状態よりも消費電力の小さい第２の電力状態に移行可能な情報処理装置の制御方法であって、
音波センサによって音波を出力及び受信することにより、受信した音波に対応する値を出力するステップと、
ユーザまたは管理者から所定の指示を受信した場合に、所定期間中に前記音波センサから出力された複数の値を含む参照データを、制御手段によって保存手段に保存するステップと、
前記保存手段に保存された前記参照データ及び前記第２の電力状態のときに前記所定期間中に前記音波センサから出力された複数の値を含むフレームデータに少なくとも基づき、前記情報処理装置における電力消費状態を、制御手段によって前記第２の電力状態から前記第１の電力状態に移行させるステップと、 
を含むことを特徴とする制御方法。
【請求項２４】
コンピュータに、請求項２３に記載の制御方法を実行させるためのプログラム。
【手続補正２】
【補正対象書類名】明細書
【補正対象項目名】０００６
【補正方法】変更
【補正の内容】
【０００６】
本発明に係る情報処理装置は、第１の電力状態及び当該第１の電力状態よりも消費電力の小さい第２の電力状態に移行可能な情報処理装置であって、音波を出力し、音波を受信し、受信した音波に対応する値を出力する音波センサと、所定期間中に前記音波センサから出力された複数の値を含む参照データを保存する保存手段と、前記保存手段に保存された前記参照データ及び前記第２の電力状態のときに前記所定期間中に前記音波センサから出力された複数の値を含むフレームデータに基づき、前記情報処理装置の電力状態を前記第２の電力状態から前記第１の電力状態に移行させる、制御手段と、を備えることを特徴とする。